(57)【要約】      （修正有）【課題】商品の購入者に気づかれずに比較的大量の在庫品を収納可能であり、商品補充作業の煩雑さを解消できる木製陳列棚を提供する。【解決手段】この木製陳列棚１０は、天板１２及び一対の側壁１３を含む基台部１１と、その前面側に取り付けられた扉２１とを備える。木製陳列棚１０は、第１支持体３１と第２支持体３２、３３とを備える。第１支持体３１は、天板１２の前端部の下面側付近に設けられ、扉２１に設けた係止部を引っ掛けることで、扉２１を縦向き状態かつ着脱可能な状態で支持する。第２支持体３２、３３は、天板１２の下面側にて第１支持体３１よりも後方位置に設けられ、扉２１を収納空間１４内にスライド収容して横向き状態で支持する。接地面と天板１２との間に底板は存在せず、天板１２の下方領域はフリーになっている。【選択図】図１
0003219877.tif 000002
【実用新案登録請求の範囲】
【請求項１】
天板及び一対の側壁を含んで構成された基台部と、前記天板の下方領域にできる収納空間を隠すべく前記基台部の前面側に取り付けられた扉とを備え、前記天板の上面側に商品が載置可能な木製陳列棚であって、
前記天板の前端部の下面側付近に設けられ、前記扉に設けた係止部を引っ掛けることで前記扉を縦向き状態かつ着脱可能な状態で支持する第１支持体と、
前記天板の下面側にて前記第１支持体よりも後方位置に設けられ、前記扉を前記収納空間内にスライド収容して横向き状態で支持する第２支持体とを備え、
接地面と前記天板との間に底板は存在せず、前記天板の下方領域はフリーになっている
ことを特徴とする木製陳列棚。
【請求項２】
前記収納空間は、台車付き折り畳みコンテナが収容可能な高さを有することを特徴とする請求項１に記載の木製陳列棚。
【請求項３】
前記第２支持体は、前記扉の一部を前記天板の前端部よりも前方に突出させた状態で支持可能であり、当該扉の突出部分には前記商品が載置可能であることを特徴とする請求項１または２に記載の木製陳列棚。
【請求項４】
前記第２支持体は、前記天板の下面にて前記基台部の前後方向に沿って延びるように設けられ、前記棚の両側縁を支持するスライドガイド部材であることを特徴とする請求項１乃至３のいずれか１項に記載の木製陳列棚。
【請求項５】
前記第１支持体は、前記一対の側壁間に架け渡された長尺材であることを特徴とする請求項１乃至４のいずれか１項に記載の木製陳列棚。
【考案の詳細な説明】
【技術分野】
【０００１】
本考案は、店内において商品を陳列する際に用いる木製の陳列棚に関するものである。
【背景技術】
【０００２】
近年、店内において野菜や果物などの商品を見栄え良く陳列するための手段として、木製の陳列棚を用いることが増えつつある。この種の陳列棚は、基本的に天板、底板、一対の側壁等からなる基台部を備えていて、商品は一般的には天板の上面に山積みにした状態で陳列される。また、天板と底板との間の空間（収納部分）には、品切れ状態をなくすため在庫品の入った箱が置かれたりするほか、商品を取り出した後の空箱が置かれたりすることが多くみられる。
【０００３】
しかし、天板と底板との間の空間に置かれた在庫品や空箱が基台部の前面側から丸見えであると、商品の購入者に対して煩雑な印象を与えてしまうばかりでなく、購入者が陳列前の在庫品のほうから優先的に商品を選り分けて持っていってしまう等、種々の不都合が生じる。よって、基台部の前面側を覆って収納部分を隠すようにした木製陳列棚（いわゆる引き戸式収納構造にしたものや、観音扉式収納構造にしたもの等）が従来提案されるに至っている。
【考案の概要】
【考案が解決しようとする課題】
【０００４】
ところが、上記従来技術には次のような欠点があった。即ち、引き戸式収納構造や観音扉式収納構造の木製陳列棚の場合、戸や扉がきれいに装着されている点で好ましい反面、その構造上収納部分にはそれほど大きな空間が確保されてはいなかった。従って、補充カートにてその中に少量の在庫品をストックしておくことしかできず、時間帯によっては商品の品切れが生じることがあった。また、台車に積載した在庫品を搬入・補充をする場合には、台車から在庫品を手おろしして収納部分や天板上に移し換える作業や、空の台車を運搬して元の場所に返却する作業が必要となり、煩雑な作業を余儀なくされるという問題があった。
【０００５】
さらに、商品の売れ行きが好調であるとき等には、台車に積載された在庫品を手おろしせずに、陳列台車としてそのまま販売することも考えられるが、この場合にあってもその台車を別の場所から搬入してこなければならないという問題がある。
【０００６】
ここで、例えば、在庫品を積載した台車をそのまま基台部の収納部分に入れておくことができれば非常に都合がよいが、従来そのような構造は全く提案されていなかった。ちなみに、引き戸式収納構造や観音扉式収納構造の木製陳列棚の場合、仮に天板と底板との間隔を大きくとることで収納部分を大きくしたとしても、底板が邪魔になるため台車を収容することは不可能または困難であると言わざるを得ない。
【０００７】
本考案は上記の課題に鑑みてなされたものであり、その目的は、商品の購入者に気づかれることなく比較的大量の在庫品を収納しておくことが可能であり、商品補充作業の煩雑さを解消することができる木製陳列棚を提供することにある。また、本考案のさらなる目的は、商品の陳列面積を容易に増やすことができる木製陳列棚を提供することにある。
【課題を解決するための手段】
【０００８】
上記課題を解決するために、請求項１に記載の考案は、天板及び一対の側壁を含んで構成された基台部と、前記天板の下方領域にできる収納空間を隠すべく前記基台部の前面側に取り付けられた扉とを備え、前記天板の上面側に商品が載置可能な木製陳列棚であって、前記天板の前端部の下面側付近に設けられ、前記扉に設けた係止部を引っ掛けることで前記扉を縦向き状態かつ着脱可能な状態で支持する第１支持体と、前記天板の下面側にて前記第１支持体よりも後方位置に設けられ、前記扉を前記収納空間内にスライド収容して横向き状態で支持する第２支持体とを備え、接地面と前記天板との間に底板は存在せず、前記天板の下方領域はフリーになっていることを特徴とする木製陳列棚をその要旨とする。
【０００９】
請求項１に記載の考案によると、扉の係止部を第１支持体に引っ掛けて扉を縦向き状態で支持させる構造を採用した結果、底板が省略可能となり、天板の下方領域をフリーな状態にすることができる。その結果、収納空間を今までよりも大きく確保することができ、収納空間内に比較的大量の在庫品を収納しておくことが可能となり、ひいては商品補充作業の煩雑さを解消することができる。また、接地面と天板との間に底板が存在しないことから、例えば運搬してきた台車を持ち上げずにそのまま水平移動させて収納空間内に容易に収納することができる。そして、この状態で第１支持体に扉を引っ掛ければ、収納空間内に収納された被収納物が好適に隠されて、基台部の外部から見てもその存在が解からなくなる。よって、基台部下の清潔感が向上して店内が整頓された印象になり、店舗の好感度アップにもつながる。また、第２支持体によって扉を収納空間内にスライド収容して横向き状態で支持したり、あるいは扉を第１支持体から取り外したりすることが可能なため、扉が邪魔にならず、収納空間内から被収納物を容易に出し入れすることができる。
【００１０】
請求項２に記載の考案は、請求項１において、前記収納空間は、台車付き折り畳みコンテナが収容可能な高さを有することをその要旨とする。
【００１１】
請求項２に記載の考案によると、例えば在庫品を搭載した台車付き折り畳みコンテナごと収納空間内に収納することが可能になることで、商品の補充時に在庫品をわざわざ台車から手おろししする等の作業が不要になる。よって、作業の煩雑さがなくなり、作業コストも軽減される。また、例えば扉を取り外して基台部前面側に引き出せば、台車に積載された在庫品を陳列台車としてそのまま販売することが可能となる。ゆえに、商品の陳列面積を容易に増やすことができる。
【００１２】
請求項３に記載の考案は、請求項１または２において、前記第２支持体は、前記扉の一部を前記天板の前端部よりも前方に突出させた状態で支持可能であり、当該扉の突出部分には前記商品が載置可能であることをその要旨とする。
【００１３】
請求項３に記載の考案によると、必要に応じて扉の突出部分に商品を載置して陳列することができる、言い換えると収納空間を隠さないときには既存の扉を棚として機能させることができるため、商品の陳列面積を容易に増やすことができる。
【００１４】
請求項４に記載の考案は、請求項１乃至３のいずれか１項において、前記第２支持体は、前記天板の下面にて前記基台部の前後方向に沿って延びるように設けられ、前記棚の両側縁を支持するスライドガイド部材であることをその要旨とする。
【００１５】
請求項４に記載の考案によると、スライドガイド部材が棚の両側縁を支持することにより、棚を横置き状態にして安定的かつ確実に支持させることができる。
【００１６】
請求項５に記載の考案は、請求項１乃至４のいずれか１項において、前記第１支持体は、前記一対の側壁間に架け渡された長尺材であることをその要旨とする。
【００１７】
請求項５に記載の考案によると、一対の側壁間に架け渡された長尺材に扉の係止部を引っ掛けることで、扉を縦向き状態にして比較的簡単に支持させることができる。
【考案の効果】
【００１８】
以上詳述したように、請求項１〜５に記載の考案によると、商品の購入者に気づかれることなく比較的大量の在庫品を収納しておくことが可能であり、商品補充作業の煩雑さを解消することができる木製陳列棚を提供することができる。特に請求項２，３に記載の考案によると、商品の陳列面積を容易に増やすことができる木製陳列棚を提供することができる。
【図面の簡単な説明】
【００１９】
【図１】本実施形態の木製陳列棚（２つある扉の一方を開けた状態）の斜視図。
【図２】本実施形態の木製陳列棚（２つある扉をともに閉じた状態）の斜視図。
【図３】本実施形態の木製陳列棚の分解斜視図。
【図４】木製陳列棚を構成する扉、第１支持体及び第２支持体の配置関係を説明するための斜視図。
【図５】本実施形態の木製陳列棚（２つある扉をともに取り外し、４つの台車付き折り畳みコンテナを収容した状態）の正面図。
【図６】本実施形態の木製陳列棚の使用方法を説明するための部分概略斜視図。
【図７】本実施形態の木製陳列棚の使用方法を説明するための部分概略斜視図。
【図８】本実施形態の木製陳列棚の使用方法を説明するための部分概略断面図。
【図９】本実施形態の木製陳列棚の使用方法を説明するための部分概略断面図。
【図１０】本実施形態の木製陳列棚の使用方法を説明するための部分概略断面図。
【図１１】別の実施形態の木製陳列棚（２つある扉をともに取り外し、４つの台車付き折り畳みコンテナを収容した状態）の正面図。
【考案を実施するための形態】
【００２０】
以下、本考案を具体化した木製陳列棚の一実施の形態を図１〜図１０に基づき詳細に説明する。
【００２１】
図１、図２、図５等に示されるように、本実施形態の木製陳列棚１０は、店内において野菜や果物などの商品４２を見栄え良く陳列する際に用いられるものである。この木製陳列棚１０は、天板１２、背板（図示略）、一対の側壁１３を含んで構成された基台部１１を備えている。天板１２、背板、側壁１３はいずれも木製であって、本実施形態では塗装仕上げされたパイン材を用いて加工されている。なお、天板１２、背板、側壁１３の材料として、パイン材以外の木材を用いても勿論構わない。
【００２２】
基台部１１は正面視で約１８００ｍｍの幅（左右方向の寸法）を有し、約８００ｍｍの奥行（前後方向の寸法）を有している。また、本実施形態において天板１２は水平に設けられている。この天板１２の下面側は、少なくとも基台部１１の接地面Ｇ１から５００ｍｍ以上離間した状態で配置されている。つまり、接地面Ｇ１と天板１２との間に底板のような大面積の板材は存在せず、天板１２の下方領域はフリーになっている。それゆえ、天板１２の下方領域にできる収納空間１４は、台車２上に折り畳みコンテナ１を乗せた構造の台車付き折り畳みコンテナＣ１（高さ約４０ｍｍ）を収容するのに十分な高さを有したものとなっている。なお、天板１２は上記のように水平であってもよいが、前方側に若干傾斜していてもよい。
【００２３】
天板１２の上面側における外周部分には矩形状をした枠体１５が取り付けられており、これにより天板１２の上面側に矩形状の木製ボックス４１を複数並べて配置可能な商品載置部１７が形成されている。本実施形態の枠体１５は塗装仕上げされたパイン材を用いて加工されているが、勿論パイン材以外の木材を用いてもよい。
【００２４】
一対の側壁１３は前後一対の柱間に側板を設けることで構成されている。これら側壁１３の下面側における前後２箇所には、各々キャスタ１６が取り付けられている。また、一対の側壁１３の前面側下方位置における戸当たり部には、後述するロック機構の一部をなすマグネットキャッチ２６が設けられている。
【００２５】
次に、本実施形態において天板１２の下方領域にできる収納空間１４を隠すために、基台部１１の前面側に設けられる扉２１の取付構造について説明する。
【００２６】
図４等に示されるように、この木製陳列棚１０は、２枚の扉２１を備えている。これらの扉２１は、正面視で矩形状をなしており、他の部材と同じく塗装仕上げされたパイン材を用いて加工されている。扉２１の裏面側上端部における離間した２箇所には、係止部としての略Ｊ字状をなす金属製のフック２２が取り付けられている。なお、このようなフック２２は２箇所ではなく、３箇所以上に設けられていてもよい。また、ある程度長いフック２２であれば１箇所のみに設けることも許容される。ちなみに、係止部としての機能する部材であれば、略Ｊ字状以外の形状の部品を用いても差し支えない。
【００２７】
これらの扉２１の裏面側左右両側縁には、スライド収容時の摺動性を高めるために滑りテープ２４等が貼着されており、裏面側下端部のほぼ全域には取手用の溝切加工部２３が形成されている。この場合、滑りテープ２４以外の摺動部材を用いることも勿論許容される。そして、この溝切加工部２３の一方の端部には、ロック機構の一部をなす磁石片２５が取り付けられている。
【００２８】
図３、図４等に示されるように、この木製陳列棚１０は、２枚の扉２１を支持するための構造（第１支持体及び第２支持体）を備えている。本実施形態における第１支持体としての長尺材は、金属製の丸棒の両端をキャップ部で閉塞した、いわゆるハンガーパイプ３１である。このハンガーパイプ３１は、基台部１１の幅と同程度の寸法を有している。また、第２支持体としてのスライドガイド部材は、具体的には右用及び左用のスライド受け部材３２と、中央用のスライド受け部材３３とによって構成されている。右用及び左用のスライド受け部材３２は、断面略コ字状をなす金属製の１本のレール部３６と、そのレール部３６の前端側に一体的に接続されたパイプ固定片３５とにより構成されている。一方、中央用のスライド受け部材３３は、上記レール部３６を２本用いてＨ字状にしたものと、それらレール部３６の前端側に一体的に接続されたパイプ固定片３５とにより構成されている。
【００２９】
右用及び左用のスライド受け部材３２は、天板１２の下面側かつ左右両側縁に対して、ビスやボルト等の締結手段Ｂ１により基台部１１の前後方向に沿って延びるように固定されている。中央用のスライド受け部材３３は、天板１２の下面側中央部に対して、ビスやボルト等の締結手段Ｂ１により基台部１１の前後方向に沿って延びるように固定されている。
【００３０】
また、上述したハンガーパイプ３１は、天板１２の前端部の下面側付近にて水平な状態で設けられている。より詳細にいうと、ハンガーパイプ３１の両端部は、右用及び左用のスライド受け部材３２のパイプ固定片３５に対して、ビスやボルト等の締結手段Ｂ１により固定されている。ハンガーパイプ３１の中央部は、中央用のスライド受け部材３３のパイプ固定片３５に対して挿通固定されている。その結果、ハンガーパイプ３１は、一対の側壁１３間にて水平にかつ接地面Ｇ１から４５０ｍｍ程度離間して架け渡された状態で取り付けられている。なお、上述したスライド受け部材３２、３３は、いずれも天板１２の下面側にてハンガーパイプ３１よりも後方位置に設けられている。
【００３１】
次に、図６〜図１０に基づいて、この木製陳列棚１０の使用方法を説明する。
【００３２】
図８等に示されるように、２枚の扉２１は、それぞれ一対のフック２２をハンガーパイプ３１に引っ掛けた状態とすることで、縦向き状態かつ着脱可能な状態で支持される。このとき、ロック機構を構成する磁石片２５とマグネットキャッチ２６とが互いに吸着し、扉２１が側壁２２に対してロックされる。即ち、本来であれば引っ掛け式のため下端が揺動しやすい状態にある扉２１が揺動しなくなり、確実に固定される。従って、基台部１１の収納空間１４内に収納された台車付き折り畳みコンテナＣ１を好適に隠すことができる。なお、図５に示されるように、本実施形態では１枚の扉２１の後方に２個の台車付き折り畳みコンテナＣ１が横並びで収納されるようになっている。
【００３３】
また、台車付き折り畳みコンテナＣ１を取り出したいとき等には、図６、図８に示されるように、扉２１を手で若干上方に持ち上げることで、フック２２をハンガーパイプ３１から外して扉２１を除去することができる。そしてこの場合には、扉２１が邪魔にならず、収納空間１４内から台車付き折り畳みコンテナＣ１を容易に引き出すことが可能となる。あるいは、図９に示されるように、扉２１を前方に９０°回動させて水平な状態とし、基台部１１の後方にスライドさせて押し込むようにすれば、スライド受け部材３２、３３によって扉２１の両側縁が支持される。その結果、扉２１が収納空間１４内に隠れるとともに横向き状態で支持される。従って、この場合においても、扉２１が邪魔にならず、収納空間１４内から台車付き折り畳みコンテナＣ１を容易に引き出すことが可能となる。
【００３４】
また、図７、図１０には、スライド受け部材３２、３３によって扉２１を横置き状態にするとともに、その一部を天板１２の前端部よりも前方に突出させた状態が示されている。このような扉２１の突出部分２７は、商品４２が載置可能なスペースとして機能する。なお、突出部分２７の突出量は、陳列すべき商品４２の大きさや数などに応じて変更することが可能である。
【００３５】
従って、本実施形態の木製陳列棚１０によれば以下の効果を得ることができる。
【００３６】
（１）この木製陳列棚１０では、扉２１のフック２２をハンガーパイプ３１に引っ掛けて扉２１を縦向き状態で支持させる構造を採用している。これにより、底板が省略可能となり、天板１２の下方領域をフリーな状態にすることができる。その結果、収納空間１４を今までよりも大きく確保することができ、収納空間１４内に比較的大量の在庫品（具体的には、在庫品を積載した台車付き折り畳みコンテナＣ１）を収納しておくことが可能となり、ひいては商品補充作業の煩雑さを解消することができる。また、接地面Ｇ１と天板１２との間に底板が存在しないことから、運搬してきた台車付き折り畳みコンテナＣ１を持ち上げずにそのまま転がして水平移動させて、収納空間１４内に容易に収納することができる。そして、この状態でハンガーパイプ３１に扉２１を引っ掛ければ、収納空間１４内に収納された台車付き折り畳みコンテナＣ１が好適に隠されて、基台部１１の外部から見てもその存在が解からなくなる。よって、基台部１１下の清潔感が向上して店内が整頓された印象になり、店舗の好感度アップにもつながる。また、スライド受け部材３２、３３によって扉２１を収納空間１４内にスライド収容して横向き状態で支持したり、あるいは扉２１をハンガーパイプ３１から取り外したりすることが可能になる。このため、扉２１が邪魔にならず、収納空間１４内から台車付き折り畳みコンテナＣ１を容易に出し入れすることができる。
【００３７】
（２）この木製陳列棚１０における収納空間１４は、台車付き折り畳みコンテナＣ１が収容するのに十分な高さを有しているため、在庫品を搭載した台車付き折り畳みコンテナＣ１ごと基台部１１内に収納することができる。その結果、商品の補充時に在庫品をわざわざ台車から手おろししする等の作業が不要になる。よって、作業の煩雑さがなくなり、作業コストも軽減される。また、扉２１を取り外して基台部１１前面側に引き出せば、台車付き折り畳みコンテナＣ１に積載された在庫品を陳列台車としてそのまま販売することが可能となる。ゆえに、商品の陳列面積を容易に増やすことができる。
【００３８】
（３）この木製陳列棚１０におけるスライド受け部材３２、３３は、扉２１の一部を天板１２の前端部よりも前方に突出させた状態で支持することができる。よって、必要に応じてその扉２１の突出部分２７に商品４２を載置して陳列することができる。つまり、収納空間１４を隠さないときには既存の扉２１を棚として機能させることができる。そのため、商品４２の陳列面積を容易に増やすことができる。
【００３９】
（４）また本実施形態では、上記構造のスライド受け部材３２、３３を用いて棚２１の両側縁を支持していることから、棚２１を横置き状態にして安定的かつ確実に支持することができる。
【００４０】
（５）また本実施形態では、上記構造のハンガーパイプ３１を用いていることから、そこにフック２２を引っ掛けることで、扉２１を縦向き状態にして比較的簡単に支持させることができる。
【００４１】
なお、本考案の実施の形態は以下のように変更してもよい。
【００４２】
・例えば図１１に示す別の実施形態の木製陳列棚１０Ａのように、左右２本の柱５１を設けてその上部にさらに棚５２を設けた構成としてもよい。
【００４３】
・上記実施の形態では、扉２１を２枚設けた構成としたが、これに限定されず３枚、４枚等設けた構成としてもよい。
【００４４】
・上記実施の形態では、磁石式のロック機構を設けて扉を固定するようにしたが、磁石式以外のロック機構を採用してもよい。
【符号の説明】
【００４５】
１０、１０Ａ…木製陳列棚
１１…基台部
１２…天板
１３…側壁
１４…収納空間
２１…扉
２２…係止部
２７…扉の突出部分
３１…第１支持体（長尺材）としてのハンガーパイプ
３２、３３…第２支持体（スライドガイド部材）としてのスライド受け部材
４２…商品
Ｃ１…台車付き折り畳みコンテナ
【図１】
0003219877.tif 000003
【図２】
0003219877.tif 000004
【図３】
0003219877.tif 000005
【図４】
0003219877.tif 000006
【図５】
0003219877.tif 000007
【図６】
0003219877.tif 000008
【図７】
0003219877.tif 000009
【図８】
0003219877.tif 000010
【図９】
0003219877.tif 000011
【図１０】
0003219877.tif 000012
【図１１】
0003219877.tif 000013